(57)【特許請求の範囲】
【請求項１】
汚れた表面に対向する側において、ファイバ繊度が最低１Ｄｔｅｘのフィラメントまたはステープルファイバからなるヤーンの長ループ（３）と、ちり及び液体の吸収に優れた、繊度が最高１Ｄｔｅｘのマイクロフィラメントヤーンの短ループ（２）とを有し、もう一方の側には、優れた液体吸収力を有する、繊度が最高１Ｄｔｅｘのフィラメントヤーンを、有するベースファニリック（１）を特徴とする、汚れた表面を清浄するクリーニングクロス。
【請求項２】
請求の範囲１に記載のクリーニングクロスにおいて、前記優れた液体吸収力を有する繊度が最高１Ｄｔｅｘのフィラメントヤーンが短ループの形であることを特徴とするクリーニングクロス。
【請求項３】
請求の範囲１または２のいずれかに記載のクリーニングクロスにおいて、ベースファブリック（１）は、全体または一部にマイクロフィラメントを織り込んでまたは編み込んでなることを特徴とするクリーニングクロス。
【請求項４】
請求の範囲１から３のいずれかに記載のクリーニングクロスにおいて、長ループ（３）と短ループ（２）の両方を有する前記クロスの側における短ループ（２）と長ループ（３）の数の割合は、７５％から２５％の間であることを特徴とするクリーニングクロス。
【請求項５】
請求の範囲４に記載のクリーニングクロスにおいて、前記短ループ（２）と長ループ（３）の数の割合は、５０％であることを特徴とするクリーニングクロス。
【請求項６】
請求の範囲１から５のいずれかに記載のクリーニングクロスにおいて、マイクロフィラメントヤーンは、ポリエステルとポリアミドを７０：３０の割合で混合した合成繊維からなることを特徴とするクリーニングクロス。
【請求項７】
請求の範囲１から５のいずれかに記載のクリーニングクロスにおいて、最低１Ｄｔｅｘの繊度を有する前記ヤーンは、ポリエステルの合成繊維からなることを特徴とするクリーニングクロス。
【請求項８】
汚れた表面を清浄するために請求の範囲１から７のいずれかに記載のクリーニングクロスをモップに取り付けて使用する方法であって、
汚れた表面に対向するモップの下側面に、前記クリーニングクロスを取り付けたことを特徴とする使用方法。
【請求項９】
請求の範囲８に記載の使用方法において、前記クリーニングクロス（６）は別のクロス（７）と共に縫いつけられ、これらのクロス（６，７）の間に一つ以上の水分吸収層（８）が、設けられていることを特徴とする使用方法。
【請求項１０】
請求の範囲９に記載の使用方法において、前記水分吸水層（８）は、前記クリーニングクロス（６）の形であることを特徴とする使用方法。
【発明の詳細な説明】
発明の分野
この発明は、汚れた表面を清浄するクリーニングクロス及び前記クリーニングクロスを取り付けたモップに関する。
従来の技術
汚れた表面を清浄するまたは布拭きするための構造は、古くから数多く知られている。最も一般的な道具はおそらく様々な種類の布きれ（クロス）であるが、特に近年では、より機械化された構造が使用されている。清浄すべき表面は、垂直面であったり、水平面であったり傾斜面であったりするため、清浄作業を行う構造は、このような表面の位置、形状及び特性に大きく左右される。床表面を清浄するための一般的で非常に多く使用されている道具は、いわゆるモップである。
モップは、主として長く延びたシャフトからなり、シャフトの下端面には円板状部材がヒンジ固定されている。そして、この円板状部材の下側面に、例えば布きれなどのクリーニング部材自体が取り付けられている。通常、モップは次のように用いられる。すなわち、湿らせたまたは水に漬けたモップを、床表面上で引っ張ったり押したりすることにより、埃が一部は溶解し、一部はモップに回収される。モップによる床のクリーニングが終わると、揮発性溶剤とともに床の水分は蒸発する。ところが、このとき、一時溶解するが後に乾燥して現れる埃の膜が床を覆うように残る。
技術的課題
布きれ及びモップの使用は、本質的には容認できる結果を生むことが多いかもしれない。しかしながら、布に関しては、しばしば、複数の布で繰り返し汚れを拭く必要がある。一方、モップの場合には上述の汚れの膜が残ってしまう。さらには、次のような問題もある。すなわち、クリーニング対象となる表面とクリーニングツールとの間には特定の摩擦が存在するが、この摩擦は大きすぎてはならない。このため、この摩擦を最適化することが望ましい。
解決手段
このように、クリーニングクロス及び、例えばクリーニングクロスを下側部に取り付けたモップを改良し、クリーニングをより効果的かつ楽にすることが、長年にわたって望まれていた。
本発明によれば、このような要望に応えて、汚れた表面を清浄するクリーニングクロスが提供される。本発明のクリーニングクロスは、以下のようなベースファブリック（base fabric）を特徴とする。すなわち、ベースファブリックは、その一方の面に、通常の繊維繊度のヤーンの長ループと、埃及び液体の吸収に優れたマイクロフィラメントヤーンの短ループとを有する。さらに、他方の面には、優れた液体吸収力の実質的なマイクロフィラメントヤーンを、好ましくは短ループの形で有する。
本発明によれば、ベースファブリックは、全体にまたは一部にマイクロファイバまたはマイクロフィラメントを織り込んだあるいは編み込んだクロスであることが好ましい。
本発明によれば、短ループは、最大１Ｄｔｅｘの繊度を有するマイクロフィラメントまたはマイクロファイバのヤーンからなるのが好ましい。
本発明によれば、長ループは、最低１Ｄｔｅｘの繊度を有するフィラメントまたはステープルファイバのヤーンで構成されていなければならない。
また、本発明によれば、クロスの一方の面における短ループと長ループの割合は、７５％から２５％、好ましくは５０％を短ループが占めるように設定される。
本発明により用いられるマイクロフィラメントヤーンは、好ましくは、例えば７０：３０の割合で混合されるポリエステルとポリアミドの合成繊維からなる。
本発明によれば、通常の繊維繊度を有するヤーンは、全体または一部がポリエステルの合成繊維で構成されなければならない。
本発明の別の態様においては、本発明のクリーニングクロスはモップにおいて用いられ、クリーニングクロスは、モップの汚れた表面に対向する側に取り付けられる。
本発明によるモップは、汚れた表面に対向するクリーニングクロスの側が、長ループと短ループの両方を含む方の側であることをさらに特徴とする。
本発明によれば、クリーニングクロスを有するモップが次のようであることが好ましい。すなわち、クリーニングクロスは別のクロスとともに縫い込まれ、これらのクロスの間に、好ましくは本発明によるクリーニングクロスの形で、一つ以上の吸収層が設けられている。
図面の説明
添付の図面に関連させて、本発明を以下に詳細に説明する。
図１は、本発明によるクリーニングクロスを断面図で示している。
図２は、モップの主要デザインを示す。
図３は、図１のクリーニングクロスの使用例を示す。
詳細な説明
図１は、本発明によるクリーニングクロスの断面を示し、ベースファブリックと、ベースファブリックの両側に設けられた短ループ２と、ベースファブリック１の片側に設けられた長ループ３とを含む。このファブリックには、両側のループを織り込んでもあるいは編み込んでもよい。あるいは、ループを織り込む代わりに、ヤーンループを縫いつけてループを形成してよい。また、長さの短いループの代わりに、長ループを構成しない別の形状の同じ材料のループを同じ側に設けてもよい。
クリーニングクロス中のすべてのヤーンは、合成材料からなるのが好ましい。
好ましくは織り込まれてあるいは編み込まれて構成されるベースファブリックはマイクロファイバまたはマイクロフィラメントまたは通常のフィラメントからなる。マイクロフィラメントを用いる場合、好ましい材料組成は、７０％のポリエステルと３０％のポリアミドであり、フィラメントの繊度は約０．３Ｄｔｅｘが好ましい。このマイクロフィラメントのヤーンは、１スレッドにつき１０５０のフィラメントを有するため、１ヤーンスレッドあたりの繊度は３３０Ｄｔｅｘとなる。
ベースファブリックは、５．８Ｄｔｅｘのフィラメント繊度を有する１００％ポリエステルフィラメントヤーンから構成することもできる。この場合は、４８のフィラメントからなるスレッドの繊度は約２８０Ｄｔｅｘである。
短ループ２は、非常に細かい多数のファイバまたはフィラメントのヤーンで構成される。これらのファイバまたはフィラメントは非常の細いので、用語上の慣例に従い、マイクロファイバまたはマイクロフィラメントと呼ぶ。すなわち、これらのファイバまたはフィラメントの繊度は１Ｄｔｅｘ以下である。長ループ３は、より通常に近い繊維繊度すなわち実質的に１Ｄｔｅｘ以上のヤーンから構成される。このヤーンは、エンドレスファイバ（フィラメント）から作ることもできるし、ステープルファイバを紡いで作ることもできる。紡いで作ったヤーンは、単一より（single-ply）のヤーンでもよいし、複数のスレッドをねじったものでもよい。長ループと短ループの両方を有するクロスの側において、表面単位あたりの長ループと短ループの割合は、７５％から２５％が適当であり、５０％が好ましい。長ループと短ループが均等に配分されれば好ましい。
上述のクロス材料、ヤーンの構成、及び繊維の形成によって、クリーニング目的に応じた独自の特性が得られる。長さの異なるループを有するクロスの側を表面上で引っ張ると、長ループがブラッシングまたは清掃効果を有し、マイクロフィラメントの短ループが、埃とちりの粒子及び清掃後の表面における水分を吸収して蓄積する効果を有する。クロスの両側に設けられたマイクロファイバのループ、及びこのようなファイバを有するベースファブリックのヤーンは、非常に繊維数が多いことと平坦な形状のために、合成繊維材料からなる非常に大きい全体材料表面を提供する。
クロスが乾燥した状態では、静電効果により、埃及びちりの粒子が吸着されて、繊維表面に、またはその間に結合する。
一方、クロスが濡れた状態では、繊維の表面層周囲および繊維間に毛状に液体が結合される。
ブラッシング及び清掃効果を有する長ループは、それ自身もある程度の吸収能力を有するが、その主な機能は、より優れた吸着力及び蓄積力を有するマイクロファイバに、ちり、埃及び水分を運ぶ機能である。マイクロファイバは、この表面層上のループ、クロスの反対側のループ、及びベースファブリックのヤーンに存在し、その強力な吸収力のために、清浄された表面からちりや水分を吸収して蓄積する。
別の重要な機能としては、清浄対象の表面に抗するクロスの摩擦がある。極めて大きいクロスの全体繊維表面と、別々のマイクロフィラメントの形状により、接触表面が完全にマイクロフィラメントで構成されていれば、表面に対する摩擦は、実際の作業に対して長時間の間かなり大きいものとなる。このような効果は、特に水分が用いられた場合に適用されるが、効果的なクリーニング作業には特定の摩擦力が好ましい。すなわち、より丸みのある形状できめの粗い繊維の長ループは、支持部に対する摩擦がかなり小さい。このような長ループは、完全には均一でない表面においてブラッシング特性を有する以外に、クロスが表面を引っ張られる際に、これらのループ上に乗るように意図されている。これらの長ループの材料、長さ及び特性を調節することにより、摩擦、ブラッシング効果、及び蓄積効果に関するクロスの特性が最適化される。
合成材料の別の重要な特性は、以下の通りである。すなわち、水分が材料の表面上に結合し、かつ表面間に毛状に結合し、さらには、非常にわずかではあるが、例えば綿の場合のように繊維内部に分子状に結合する。したがって、水を使ってクリーニングを行う場合に、使用前に材料を濡らせば、この水分をクリーニング作業に効果的に使用できる。
材料中のマイクロファイバ全体の含む水分量は多く、大きな表面を清浄するのに十分であるにもかかわらず、クロスの優れた吸収及び保持特性により、清掃表面上にはごくわずかな水分しか残らない。
また、このクロス材料は、大量の水分または液体が必要な場合のクリーニングでも効果的に用いることができる。この場合、清浄後に乾燥用クロスまたは絞り取り（wrung-out）クロスを使用してもよい。
短ループの例としては、フィラメントあたり約０．３Ｄｔｅｘの繊度を有する、全体繊度が３３０Ｄｔｅｘで、７０％及び３０％のポリアミドからなる材料組成を有するマイクロフィラメントヤーンがあげられる。
長ループは、例えば、ヤーン繊度が約３００Ｄｔｅｘで、繊維あたりの繊度が１．５Ｄｔｅｘである１００％ポリエステルからなるステープルファイバを紡いだヤーンから構成される。このヤーンは、単一のヤーンでもよいし、２本の細いヤーンをねじって構成し、約３００Ｄｔｅｘの繊度になるようにしてもよい。
図２は、本発明によるクリーニングクロスと共に用いられるモップを示している。モップは、入れ子式パイプまたはシャフト４を主として含み、アルミニウムまたは同様の材料からなる円板状部材５がこのシャフトにヒンジ接合されている。円板状部材の下側面には、溝にモールド成形され「凸状部」となるベロクロテープが取り付けられている。モップの使用時には、下側部にベロクロバンドを有するアルミニウム円板５を、使用するクリーニングクロス要素に抗して押しつけるだけで、取り付けが完了する。クリーニング要素を取り外す場合には、足でこれを押さえつけながらアルミニウム円板５を引き剥がせばよい。
上記のように、モップをベロクロテープと共に使用するには、クリーニング要素の上側面を、ベロクロテープの取り付け時に凹状部として機能するよう構成する必要がある。したがって、本発明によれば、クロス７をクリーニングクロス６に縫いつけることが好ましい。クロス７は、ベロクロバンドに取り付けることができるという特性を有し、クリーニングクロスの上端面になる。これらのクロス１６及び７の間には、水の吸収層をさらに設けることができる。このためには、本発明によるクリーニングクロス６の層を一つ以上挿入するのが好ましいが、これ以外の吸収層を使用してもよい。
本発明は、上記の実施形態に限定されるものではなく、請求の範囲内で異なる方法による変更が可能である。したがって、図１においてクリーニングクロスの短ループ２のみが示されている側に長ループ３を使用することも可能である。ただし、この場合は、短ループ２のみがこの側に使用される場合に比べて吸水能力が低くなる。さらに、短いファイバ２の材料は、ループ形状である必要はなく、吸収材料を生成する別の方法でも構成できる。また、ベースファブリック１は、マイクロフィラメントから製造される場合には、このような吸収要素で構成することもできる。
【図１】
0003841176.tif 000002
【図２】
0003841176.tif 000003
【図３】
0003841176.tif 000004